(57)【要約】【課題】商品の見本、その他を収納して、商品陳列棚の前面に設けられた支持棒に掛けて使用する容器であって、支持棒に掛けた時に安定した支持が可能になるようにする。【解決手段】商品見本等を収納する容器本体と、この容器本体に取り付けられた支持部材とにて形成されていて、支持部材がその下側が開いていてその間隔が支持棒の径よりも大であり、その容器本体側が鉛直方向上方に伸び、容器本体から離れた側が少なくとも上側の部分において間隔が狭くなる方向に傾斜して鋭角をなすようにした。これにより支持棒に支持部材を掛ける操作が容易であり、その上側部分の間隔が狭くなった箇所にて支持棒に安定した状態にて支持される。【選択図】　　　　　　図１
0003098184.tif 000002
【実用新案登録請求の範囲】
【請求項１】
見本その他の商品を入れる容器本体と、前記容器本体に取り付けられた支持部材とにて形成され、前記支持部材を商品陳列棚等に設けられた支持棒に掛けて使用される容器であって、前記支持部材が前記容器本体側が鉛直方向上方に伸び容器本体と反対側が傾斜し下端部が開いていて上方に向かうにしたがって両者の間隔が狭くなる形状をしたことを特徴とする商品を収納する容器。
【請求項２】
前記支持部材の上端部分が前記支持棒に沿った曲線状をなす請求項１の商品を収納する容器。
【請求項３】
前記支持部材の上端部分の下側面を摩擦が大になる構成にしたことを特徴とする請求項２の商品を収納する容器。
【請求項４】
前記支持部材の上端部分に前記支持棒の径よりも僅かに小さい幅の支持部を設け、支持棒が前記支持部内に軽く圧入されるようにした請求項１又は２の商品を収納する容器。
【考案の詳細な説明】
【０００１】
【考案の属する技術分野】
本考案は、商品見本や試供品陳列用の容器に関するものである。
【０００２】
【従来の技術】
商品を陳列するための籠（容器）で特に商品陳列棚の前に見本や試供品等を収納する容器の従来例は、図６に示すような構成である。この図に示すように、商品見本や試供品等を入れる籠１１の部分と、この籠１１を陳列棚の支持棒１３に掛けて籠１１を保持するための支持部材１２よりなる。そして、例えば、商品棚におかれる商品と同じ商品をこの籠１１に入れ、支持部材１２を支持棒１３に掛けて保持する。
【０００３】
【考案が解決しようとする課題】
この籠１１は、その支持部材１２が図示するように下方が開いたコの字状をしている。また、この保持部材１２は、支持棒１３に掛ける際の操作を容易に行ない得るように図６において支持部材１２の間隔ｔ５が比較的大である。少なくとも支持棒１３の径よりは大幅に広くしてある。そのために、この籠１１を支持棒１３に掛けた時に、矢印Ａのように回動して先端側が下方になるように僅かに傾斜する。この傾斜は見本等の商品を籠に入れて重量が大になるとそれにつれて大になる。また、支持部材１２の上側部分（支持棒に掛ける時にこれにより支持される部分）１２ａの幅が支持棒１３の径よりも大幅に大であるために、支持される位置が異なり、不安定であり、また支持棒１３により支持される位置によっては、籠の傾きが大になり好ましくない。更に図６に矢印Ｂ方向の移動が生ずる。
【０００４】
本考案は、籠（容器）を支持棒に掛けた時に籠がほとんど傾くことなく正常に保持されるようにした商品陳列棚にて用いる、つまり、商品陳列棚の支持棒に掛けて使用される見本や試供品等を入れている籠（容器）を提供するものである。
【０００５】
【課題を解決するための手段】
本考案の商品陳列の見本等を収納するために用いられる容器は、商品等を入れる容器本体（籠）と、容器本体に一体に結合されていて容器本体を掛ける際に使用する下方が開いた形状をした支持部材とより構成されていて、商品陳列棚の前部に設けられた支持棒に掛けて用いるものであって、その容器本体に固定された側が鉛直方向で上方に伸び、上方で折り曲げた形状で、これによりその下端側が支持棒の径よりも大幅に大である間隔を有するように開いており、容器本体とは反対側が上方に向けて傾斜して次第に間隔が狭くなり、上側端部が鋭角をなすようにしたことを特徴としている。
【０００６】
本考案の容器は、支持部材を以上の通りの形状にしたことにより、支持部材を支持棒に掛ける際は容易であって掛けるのに便利であると共に、掛けた後は、支持部材の上側の狭くなった部分に支持棒が位置するために安定した支持が可能であり、しかも容器の重心と支点位置となる支持棒とが接近することにより容器が回動して傾斜することがほとんどなく、特に支持棒により支持される支持部材の位置が移動することがないため、安定した容器の支持が可能になる。
【０００７】
また、本考案の容器は、支持部材の上側端部を支持棒と類似の形状例えば円弧状したものである。
【０００８】
また、本考案の容器において、支持部材の支持棒に接する側の面を摩擦が大になる構成にすることにより、支持部材が支持棒に対し回動するおそれが少なくなり、より安定した支持が可能になる。この支持部材は、その上側端部を曲線状にしてもよい。その際は、曲線の曲率半径が支持棒の半径とほぼ等しくすればより好ましい。
【０００９】
更に、本考案の容器において、支持部材の支持棒に支持される箇所（支持部）を、支持棒の径とほぼ等しいか僅かに小さい間隔で支持棒が圧入される形状とすることにより、支持部材がしたがって容器本体が支持棒に対し回動することなく極めて安定した支持が可能になる。
【００１０】
【考案の実施の形態】
次に、本考案の商品見本等を収納する容器の実施の形態を、図にもとづいて説明する。
【００１１】
図１は、本考案の第１の実施の形態の容器の概略を示す図である。この図１において、１は籠等の容器本体であり、この容器本体１の背面側に支持部材２が設けられている。この支持部材２は、容器本体１に取り付けられている側２ｂが容器本体１に沿って鉛直方向上方に伸び上側端部１ａにて折れ曲がり、容器本体１とは反対側２ｃが斜め下方に伸びる形状をしている。したがって、この支持部材２は、下端部が開いていて、それより上方の傾斜した部分２ｃにおいてその容器本体側２ｂとその反対側２ｃとの間隔が次第に狭くなり、鋭角になるような形状をしている。
【００１２】
このような形状の支持部材２において、下端部の間隔ｔ１を支持棒３の径よりも大幅に大になるようにすることにより、支持棒３に支持部材２を掛ける操作が簡単に行ない得る。それと共に支持部材２の狭くなった部分（鋭角部分）にて支持棒３に支持され、本考案の容器は、容器本体、支持部材が支持棒３にて保持される。
【００１３】
ここで、容器全体の重力により下方への力が働くことにより、安定した支持が可能になる。又、容器本体に商品等が収納された場合、その重力も加わることとなり、下方への力はより大になる。これによって、支持部材２の鋭角をなす部分にて支持棒３を挟む力が生じ、つまり、支持部材２の本体側２ｂとその反対側２ｃとにて支持棒を挟む力が働くため、一層安定した保持が可能になる。
【００１４】
又、本考案の容器は、図６に示すような従来例に比べて支持棒３と容器本体１の重心Ｇとの水平方向の間隔ｔ２が小になり、容器を傾斜させる力は小になるためこの点からも安定した保持が可能になる。
【００１５】
図２は本考案の容器の他の第２の実施の形態を示す。この実施の形態の容器は、支持部材２の上端部分２ａを支持棒３と類似する形状にした点で図１の容器と相違する。即ち、図示する支持棒３は、断面形状が円形であるため、この図２の容器は、支持部材２の上端部２ａを曲線状（円弧状）にした点で図１の容器と相違する。
【００１６】
この図２において、１は籠等の容器本体であり、その裏側（背面）には支持部材２が形成されている。この支持部材２は、図２のように、その上方で容器側の部分２ａが鋭角をなし上方に向かうにしたがって、間隔が狭くなっている。そして、最も上側の端部２ａが支持棒の径と同じ程度（支持棒の半径とほぼ同じ曲率半径）の円弧状をなしている。即ち、支持部材２の容器本体側２ｂは容器本体１の背面に添って伸びるがその反対側２ｃは上方に向かうにしたがって容器本体１に近づくように傾斜させてあり、上側端部２ａ部分が鋭角をなすように構成され、この上側端部２ａは円弧状をしている。したがって、容器１をその支持部材２を支持棒３に掛ける時、つまり支持部２の下端部の開いた側から掛ける時に図１の容器と同様に簡単である。つまり、図２における支持部材２の下端の間隔ｔ１が支持棒の直径よりも十分に大きく開いた構成である。そして、容器本体１と共に支持部材２を下方に移動させることにより、自然に鋭角に添って、狭くなる方に移動して、図２のように上方端部の円弧状部分２ａに支持棒３が接するようになる。ここで、前述のように円弧状部分２ａの曲率半径は、支持棒３の半径にほぼ等しくしてあるため、ほとんど回動することなく支持される。また、この支持部材２の上端の円弧状部分２ａと容器本体１の中心（重心）Ｇとの水平方向の間隔ｔ２が比較的小であり、そのため、容器本体１に商品等を収納して重力が大になっても、支持棒３のまわりの回転力は小であり、容器本体１はほとんど傾くことなしに支持される。特に支持部材２の上端部分２ａへ向けて間隔が狭くなり上端部分２ａが最小でしかも曲面の曲率半径を支持棒の曲率半径にほぼ等しくしてあるため、図２に示す従来例のように、支持棒３の周りの回転による支持位置の移動を生ずることがない。したがって、僅かな回動により若干の傾きが生ずることがあったとしても、移動により大幅な傾きを生ずることはない。
【００１７】
更に、支持部材２の先端部分２ａの内側の支持棒３と接する部分の摩擦が大になるようにすれば、回動の阻止が増大する。
【００１８】
また図３は、本考案の第３の実施の形態を示す概略図である。
【００１９】
即ち、この第３の実施の形態は図３に示すように、支持部材２の上側部分に、支持部材２を支持棒３に掛けた時に支持棒３を挟むような構成の支持部４を形成したものである。この支持部４はその幅ｔ３が支持棒３の径とほぼ等しいか僅かに小であって、その長さｔ４を支持棒３の径よりも長くしたものである。これにより、容器を支持棒にて支持する際に、容器を下方に引くことにより支持棒３が支持部材２の支持部４内に圧入されて動き得ないように支持される。これにより、容器を支持棒に掛けた後は、容器はほとんど動かない状態になり、一層安定した支持が可能になる。尚、容器を支持棒より取り外す際は、支持部材２を上方に押し上げることにより簡単に取り外すことができる。
【００２０】
この第３の実施の形態において、支持部４にばね性を持たせる構成にすれば、支持部材２の支持部４を支持棒へ着脱する際の操作が一層容易になり、しかも容器の支持が確実であって、容器本体に比較的重量のある商品見本等を収納した場合も、容器本体が傾斜することがほとんどない。
【００２１】
尚、図４、５は本考案の容器の更に他の例で、図１、図２、図３とは支持部材の構成が異なる例である。このように、図１における幅ｔ１が支持棒の径よりも大であり、また支持棒に接する部分の幅が支持棒の径とほぼ同じになるようにすることにより、本考案の目的、効果を達成し得る各種の構成の容器が可能である。
【００２２】
【考案の効果】
本考案の容器は、容器本体に固定されている保持部材をその上方を鋭角にして間隔が次第に狭くなる形状にすることにより、容器を陳列棚等に設けられた支持棒に掛けた時また容器本体に商品見本等を収納した時に支持棒に対して支持部材の移動がなくしたがって容器が傾斜することがほとんどなく、安定した容器の支持（商品見本等の支持）が可能になる。
【図面の簡単な説明】
【図１】本考案の容器の第１の実施の形態の概要を示す側面図
【図２】本考案の容器の第２の実施の形態の概要を示す図
【図３】本考案の容器の第３の実施の形態の概要を示す図
【図４】本考案の容器の支持部の他の例を示す図
【図５】本考案の容器の支持部の更に他の例を示す図
【図６】従来の容器の概要を示す図
【符号の説明】
１　　　容器本体
２　　　支持部材
３　　　支持棒
４　　　支持部
【図１】
0003098184.tif 000003
【図２】
0003098184.tif 000004
【図３】
0003098184.tif 000005
【図４】
0003098184.tif 000006
【図５】
0003098184.tif 000007
【図６】
0003098184.tif 000008